(57)【要約】【課題】複数の点光源から照射される光を均等に拡散させることができる照射効率の高い導光板及びその導光板を備えた面光源装置を提供する。【解決手段】複数の点光源２，２から照射された光を取り込み表面から拡散させて射出するための複数の光反射溝３を分散させて配設した導光板１であって、光反射溝３は、複数の点光源２，２に対してそれぞれ直交する方向に形成される反射面３ａ，３ａを片側斜面に有する複数のＶ溝部分３１，３２からなり、光反射溝３の反射面３ａ，３ａの面積は、点光源２，２からの距離に比例して増大するように形成される。【選択図】図１
2007273325.tif 000002
【特許請求の範囲】
【請求項１】
複数の点光源から照射された光を端面から取り込み表面から拡散させて射出するための複数の反射溝を表面に分散して配設した導光板であって、
前記各反射溝は互いに間隙をあけて配置されるとともに、それぞれ前記複数の点光源のいずれかに対して直交する方向に形成されており、
特定の点光源に対して直交する方向に形成された前記反射溝同士の間隙に、前記特定の点光源以外の点光源に対して直交する方向に形成された前記反射溝が形成されることを特徴とする導光板。
【請求項２】
前記特定の点光源に対して直交する方向に形成された前記反射溝と、前記特定の点光源以外の点光源に対して直交する方向に形成された前記反射溝とが互いに繋ぎ合わされて形成されることを特徴とする請求項１に記載の導光板。
【請求項３】
前記反射溝の長さは、前記点光源からの距離に比例して増大するように形成されることを特徴とする請求項１または２に記載の導光板。
【請求項４】
請求項１から３のいずれか一つに記載の導光板と、該導光板に光を照射するための点光源と、前記導光板の背面側に配設される反射板と、を備えたことを特徴とする面光源装置。
【発明の詳細な説明】
【技術分野】
【０００１】
本発明は、例えば、パソコンやワープロ、液晶テレビ等の液晶表示板を均一に照射するための導光板及び面光源装置に関する。
【背景技術】
【０００２】
面光源装置には、例えば、ＬＥＤ等からなる光源と、光源から照射される光を導入して液晶パネルに分散させて射出する導光板と、反射板とが設けられる。例えば、その導光板はポリカーボネート樹脂やメタクリル樹脂等の透明な樹脂材等からなり、反射板は反射率の高い白色樹脂シート等からなり導光板の背面側に貼り付けられる。
【０００３】
このような面光源装置にあって、ＬＥＤ等の点光源から照射された光を導光板の表面に均等に行き渡らせるように溝状のプリズムを所定のパターンに配置し、点光源を複数設ける場合には、各光源に対応したパターンを各エリアごとに配設するようにした構成が提案されている（例えば、特許文献１参照）。
【特許文献１】特許第３１５１８３０号公報
【発明の開示】
【発明が解決しようとする課題】
【０００４】
しかしながら、上記従来例の面光源装置では、各光源から照射される光は、それぞれのエリアを超えてまで拡散することができないため、トータルでの照射効率が低くなるという難点がある。また、各エリアの境界位置では輝度（又は明度）の低い部分（暗部）が発生するため、液晶表示板上で輝度むらや色むらが発生しやすいという問題もあった。
【０００５】
本発明は、このような実情に鑑みてなされ、複数の点光源から照射される光を均等に拡散させることができる照射効率の高い導光板及びその導光板を備えた面光源装置を提供することを目的とする。
【課題を解決するための手段】
【０００６】
（１）本発明の導光板は、複数の点光源から照射された光を端面から取り込み表面から拡散させて射出するための複数の反射溝を表面に分散して配設した導光板であって、前記各反射溝は互いに間隙をあけて配置されるとともに、それぞれ前記複数の点光源のいずれかに対して直交する方向に形成されており、特定の点光源に対して直交する方向に形成された前記反射溝同士の間隙に、前記特定の点光源以外の点光源に対して直交する方向に形成された前記反射溝が形成されることを特徴とする。
【０００７】
このような構成によれば、特定の点光源に垂直に対向する反射溝同士の間隙に、この特定の点光源以外の点光源に垂直に対向する反射溝を配置しており、これら反射溝を導光板の表面に分散して配設しているので、各点光源から照射された光は、特定のエリアに偏ることなく拡散されることとなり、輝度ムラが発生しにくくなり、また照射効率も向上する。
【０００８】
（２）前記特定の点光源に対して直交する方向に形成された前記反射溝と、前記特定の点光源以外の点光源に対して直交する方向に形成された前記反射溝とが互いに繋ぎ合わされて形成されてもよい。このようにすれば、相異なる点光源に垂直に対向する反射溝同士を繋ぎ合わせて連続した一つの反射溝に形成できるので、反射溝を形成する際、各反射溝の繋ぎ目で切削治具の方向を変更するだけで一度の工程で反射溝の形成が可能になり、工数を削減することができる。
【０００９】
（３）前記反射溝の長さは、前記点光源からの距離に比例して増大するように形成されてもよい。このようにすれば、点光源から離れた部位では、面直に対応する反射溝の大きさが大となるため、反射される光量が大となり輝度（又は明度）の低下が補われ点光源から距離に関係なく、液晶表示板上で均等な輝度が得られる。
【００１０】
（４）本発明の面光源装置は、前記（１）から（３）のいずれか一つに記載の導光板と、該導光板に光を照射するための点光源と、前記導光板の背面側に配設される反射板と、を備えたことを特徴とする。
【００１１】
このような構成によれば、各点光源から照射された光が特定のエリアに偏ることなく、輝度ムラの少ない面光源装置を提供することができる。
【発明の効果】
【００１２】
本発明の導光板によれば、特定の点光源に垂直に対向する反射溝同士の間隙に、この特定の点光源以外の点光源に垂直に対向する反射溝を配置しており、これら反射溝を導光板の表面に分散して配設しているので、各点光源から照射された光は、特定のエリアに偏ることなく拡散されることとなり、輝度ムラが発生しにくくなり、また照射効率も向上する。
【００１３】
また、特定の点光源に対して直交する方向に形成された反射溝と、この特定の点光源以外の点光源に対して直交する方向に形成された反射溝とを互いに繋ぎ合わせて形成すれば、連続した一つの反射溝に形成できるので、反射溝を形成する際、各反射溝の繋ぎ目で切削治具の方向を変更するだけで一度の工程で反射溝の形成が可能になり、工数を削減することができる。
【００１４】
また、前記反射溝の長さを、前記点光源からの距離に比例して増大するように形成すれば、点光源から離れた部位では、面直に対応する反射溝の大きさが大となるため、反射される光量が大となり輝度（又は明度）の低下が補われ点光源からの距離に関係なく、液晶表示板上で均等な輝度（又は明度）が得られる。
【００１５】
本発明の面光源装置によれば、各点光源から照射された光が特定のエリアに偏ることなく、輝度ムラの少ない面光源装置を提供することができる。
【発明を実施するための最良の形態】
【００１６】
以下に、本発明の最良の実施の形態に係る導光板及び面光源装置について詳細に説明する。
【００１７】
図１は導光板を示し、（ａ）は導光板の平面図、（ｂ）は反射溝の平面図である。図にて、符号１は光屈折率の大きな樹脂材等からなる導光板、２はＬＥＤ等からなる点光源、３は導光板１に形成される反射溝で導光板１の背面（光の出射方向の反対側）に形成され、点光源２から照射された光を導光板１の端面から取り込み表面から拡散させて射出する。光源２は、二つの点光源２１，２２からなる。
【００１８】
反射溝３は、点光源２１に対して直交する方向に形成された反射溝３１と、点光源２２に対して直交する方向に形成された反射溝３２とからなり、各反射溝３１，３２を互いに繋ぎ合わせて一本の反射溝３として形成している。反射溝３１，３２の長さは、各点光源２１，２２からの距離に比例して増大するように形成されている。各反射溝３１，３２は、片側斜面に反射面３ａ，３ａを有する断面Ｖの字状に形成されている。このような反射溝３は、導光板１の表面に分散して配設されている。
【００１９】
このような導光板１の背面側に反射板（図示省略）が配設され、表面側に液晶表示板（図示省略）が配設される。
【００２０】
このような構成によれば、各反射溝３１，３２が二つの点光源２１，２２にそれぞれ垂直に対向しており、しかもこれら反射溝３１，３２からなる反射溝３が導光板１に分散して配設されているので、各点光源２１，２２から照射された光は、特定のエリアに偏ることなく拡散されることとなり、輝度ムラが発生しにくくなり、照射効率も向上する。
【００２１】
また、反射溝３は、反射溝３１，３２を互いに繋ぎ合わせて形成しているので、反射溝３を形成する際、各反射溝３１，３２の繋ぎ目で切削治具の移動方向を変更するだけで一度の工程で反射溝３の形成が可能になり、反射溝３の形成のための工数を削減することができる。
【００２２】
このような反射溝３による光の拡散作用について図２（ａ）〜（ｄ）を参照してより詳しく説明する。反射溝３１または３２をそれぞれ点光源２に対して直交する方向に形成したとき、点光源２から照射された光は、反射溝３１または３２の片側斜面に形成された反射面３ａに反射して前方に向けて射出され（図２（ｂ）（ｃ）参照）、導光板１の前面側に配設されている液晶表示板を背面側から照射する。
【００２３】
しかし、図２（ｄ）に示すように、反射溝３１または３２が点光源２に対して直交する方向に形成されていないと、点光源２から照射された光は、反射面３ａに反射するものの前方に向けてはほとんど射出されず、導光板１の前面側に配設されている液晶表示板を照射する光としてあまり寄与しないこととなる。
【００２４】
上述のような反射溝３は、例えば、図３（ｂ）に示すような円錐型のバイト５によって製作する。即ち、各反射溝３１，３２の反射面３ａ，３ａが所定の反射角度となるようバイト５の先端の角度を設定し、図３（ａ）に示すように、そのバイト５を回転させつつ反射溝３の形状に沿って移動させ、導光板１を切削すればよい。
【００２５】
なお、本発明は、実施の形態に限定されることなく、発明の要旨を逸脱しない限りにおいて、適宜、必要に応じて、設計変更や改良等を行うのは自由であり、例えば、点光源２は、３つ以上設けられてもよい。また、反射溝３１，３２は断面Ｖの字状でなくても、反射面３ａが確保できればどのような断面形状でもよい。また、反射溝３１，３２は必ずしも互いにつなぎ合わされていなくてもよく、例えば、複数の反射溝３１，３２をそれぞれ互いに間隙をあけて導光板１の表面に分散して配置し、反射溝３１同士の間隙に反射溝３２を形成するようにすれば、上記実施の形態と同様の効果、すなわち、各点光源２１，２２から照射された光が特定のエリアに偏ることなく拡散されるという効果が得られる。
【産業上の利用可能性】
【００２６】
本発明の導光板は、均一な輝度分布が得られ輝度むらが発生しにくくなり、また、照射効率も向上するので、均一な輝度分布が要求されるパソコンやワープロ、液晶テレビ等の液晶表示板を照射する面光源装置の分野に好適となる。
【００２７】
本発明の面光源装置は、均一な輝度分布が得られ輝度むらが発生しにくくなり、また、液晶表示板に対する各点光源からの照射効率も向上するので、液晶表示板を備えたパソコンやワープロ、液晶テレビ等の分野で利用される。
【図面の簡単な説明】
【００２８】
【図１】本発明の実施の形態に係る導光板の平面図であり、（ａ）は導光板の背面側から見た平面図、（ｂ）は反射溝を拡大して示す平面図
【図２】同導光板の反射溝を示す図であり、（ａ）は反射溝の反射面を示す平面図、（ｂ）は反射面による光の反射を示す断面図、（ｃ）は光源による光の反射を示す斜視図、（ｄ）は外乱要素による光の反射を示す断面図
【図３】同導光板の反射溝の形成過程を示した図であり、（ａ）はバイトによる反射溝の形成手順を示した図、（ｂ）はバイトの斜視図
【符号の説明】
【００２９】
１    導光板
２    点光源
２１，２２  点光源
３    反射溝
３１，３２  反射溝
３ａ    反射面
【図１】
2007273325.tif 000003
【図２】
2007273325.tif 000004
【図３】
2007273325.tif 000005